(57)【特許請求の範囲】
【請求項１】
主幹ブレーカと複数の分岐ブレーカを搭載した分電盤モジュールを自立型の取付固定レール部材に取り付け、分電盤モジュールの筐体の背面上方に電線挿入用の開口部を形成して、主幹ブレーカの一次側に接続したリードバーを奥行方向に延出して延出部を形成し、該延出部を前記開口部に臨ませて、前記開口部から引き込んだ電源用電線を接続させてなり、かつ、前記電源用電線の前記延出部への接続作業を筐体の背面側から前記開口部において行うものであることを特徴とする自立型分電盤。
【請求項２】
分電盤モジュールの筐体の筐体本体と該筐体本体の前面開口を開閉する扉との間に切欠部を形成して分岐ブレーカの負荷側配線を出線させた請求項１に記載の自立型分電盤。
【請求項３】
取付固定レールの背面外側に電線支持バーを設けた請求項１又は２に記載の自立型分電盤。
【発明の詳細な説明】
【技術分野】
【０００１】
本発明は、電源用電線の引き込みが容易であるとともに筐体を小型化できる自立型分電盤に関するものである。
【背景技術】
【０００２】
従来の自立型分電盤は電源用電線を筐体の底面から引き込むものを普通としていた（例えば、特許文献１参照）。
【０００３】
ところが、このような従来の自立型分電盤は、主幹ブレーカが筐体の上部に配置しているものが一般的であり、電源用電線を筐体内部で上部側に引き回す必要がある。そのため、この引き回し作業が厄介であるばかりでなく、引き回すためのスペース分筐体を大型化しなければならい問題があった。
【特許文献１】特開２００５−３１２２６７公開公報
【発明の開示】
【発明が解決しようとする課題】
【０００４】
本発明は前記のような従来の問題点を解決して、電源用電線の引き込みが容易なうえ筐体を小型化できる自立型分電盤を提供することである。
【課題を解決するための手段】
【０００５】
本発明の自立型分電盤は、主幹ブレーカと複数の分岐ブレーカを搭載した分電盤モジュールを自立型の取付固定レール部材に取り付け、分電盤モジュールの筐体の背面上方に電線挿入用の開口部を形成して、主幹ブレーカの一次側に接続したリードバーを奥行方向に延出して延出部を形成し、該延出部を前記開口部に臨ませて、前記開口部から引き込んだ電源用電線を接続させてなり、かつ、前記電源用電線の前記延出部への接続作業を筐体の背面側から前記開口部において行うものであることを特徴とするものを基本の発明とする。
【０００６】
また、この発明において、分電盤モジュールの筐体の筐体本体と該筐体本体の前面開口を開閉する扉との間に切欠部を形成して分岐ブレーカの負荷側配線を出線させることが好ましい。さらに、取付固定レールの背面外側に電線支持バーを設けることが好ましいものである。
【発明の効果】
【０００７】
前記した本発明の自立型分電盤は、分電盤モジュールの筐体の背面上方に電線挿入用の開口部を形成して、主幹ブレーカの一次側に接続したリードバーを奥行方向に延出して、該延出部を前記開口部に臨ませて、該開口部から引き込んだ電線を接続させたものであるから、電源用電線の接続作業を開口部を開けた状態とすることにより作業空間の広い筐体の外側から行うことができ作業が容易なものとなる。また、電源用電線を筐体内部で引き回す必要がないのでこの引き回すためのスペースを不要であり筐体を小型化できる。
【０００８】
なお、分電盤モジュールを取り付ける自立型の取付固定レール部材に背面板を備えたものであれば、該背面板にも筐体の背面上方に形成した電線挿入用のこれら開口部に対応した開口部を設けることは勿論のことである。
【０００９】
また、分電盤モジュールの筐体の筐体本体と該筐体本体の前面開口を開閉する扉との間に切欠部を形成して分岐ブレーカの負荷側配線を出線させるものとすると、切欠部に臨む分岐ブレーカの負荷側配線の出線が容易であるうえ筐体内で負荷側配線を引き回す必要がないのでより筐体を小型化できるものである。さらに、取付固定レールの背面外側に電線支持バーを設けることにより、筐体の外側に露出してある電源用電線及び負荷側配線を結束バンドにより纏まり良く固定することができるものである。
【発明を実施するための最良の形態】
【００１０】
次に、本発明の好ましい実施の形態を図に基づき説明する。
図１において、１は主幹ブレーカ２と複数の分岐ブレーカ３を搭載した分電盤モジュールである。該分電盤モジュール１は図２、図３、図４、図７及び図８に示すように自立型の取付固定レール部材４の上部に着脱自在に取り付けられている。また、この自立型の取付固定レール部材４の下方には図４及び図５に示すように単一の分岐ブレーカ３を搭載した増設用分電盤モジュール５が前記分電盤モジュール１に増設・削減可能にできるよう着脱自在に取り付けできるものとしている。すなわち、両モジュール１、５はそれぞれに配置した母線バー６、６同士を直接に接続・分離可能に形成して分電盤モジュール１に増設用分電盤モジュール５を増設・削減できるようにして分岐ブレーカを増減できるものとしている。
【００１１】
この実施形態においては、図１１に示すように分電盤モジュール１に配置した母線バー６を筐体１０の底面から外部に延出させて、該延出部６１にバネ板よりなるプラグ受金式のプラグ端子金具６１ａを取り付けて、図１５、図１６及び図２０に示すように増設用分電盤モジュール５に配置した母線バー６の前記プラグ端子金具６１ａに臨む箇所を該プラグ端子金具６１ａに対応した差込刃式としたプラグ端子金具６１ｂが簡単に接続・分離できるものとしている。
【００１２】
そして、前記分電盤モジュール１の筐体１０の背面上方には図２に示すように電線挿入用の開口部１０ａが形成してあり、図６、図７に示すように主幹ブレーカ２の一次側に接続したリードバー２１を奥行方向に延出して、該延出部２１ａを前記開口部１０ａに臨ませて、該開口部１０ａから引き込んだ電源用電線７を接続させている。
【００１３】
なお、分電盤モジュール１を取り付ける自立型の取付固定レール部材４は図９に示すように外鍔４１ａ付の断面コ字型の背面板４１ｂを備えたレール本体４１を基台４０に縦長方向に立設させたものであり、該背面板４１に筐体１０の背面上方に形成した電線挿入用の開口部１０ａに対応した開口部４ａを設けて、該開口部４ａを介して電源用電線を筐体１０内に引き込むものとしている。また、開口部４ａを図３に示すように下端に電線挿通口８１を形成した配線カバー８により閉塞して充電部を覆うとともに筐体１０内に粉塵の侵入を防止するものとしている。さらに、該取付固定レール部材４はレール本体４１の背面外側には電線支持バー４２を上下に間隔をおいて複数配設して筐体１０の外側にある電源用電線及び負荷側配線を結束バンドにより纏まり良く固定することができるものとしている。また、レール本体４１の外側面の分岐ブレーカ３の負荷側にはアース端子バー４３を設けている。
【００１４】
なお、筐体本体１１の上方に配置した主幹ブレーカ２は筐体本体１１の両側に上下に配置した一対の内部レール９、９の上部前面に亘り取り付けた取付ベース９０に取り付けられて、該主幹ブレーカ２の二次側端子部２２を内部レール９、９の間に上下方向に幅面を正面に向けて配設した３本の母線バー６と接続バー２３を介して電気的に接続している。また、該内部レール９、９の前端面には前記各母線バー６に所要の間隔をおいてねじ止めにより取り付けたバネ板よりなるプラグ受金具式のプラグ端子金具６１ａに対応した挿通孔９１ａを配設した絶縁プレート９１がねじ止めされて前記母線バー６を覆うように取り付けられている。なお、３本の母線バー６を図示のように幅面を正面に向けて配設することにより筐体１０の奥行寸法を小さくできる利点がある。
【００１５】
そして、絶縁プレート９１に図１３、図１４に示す分岐ブレーカ３を搭載したプラグインアダプタ３１が下端面から突設した差込刃式のプラグ端子３１ａを挿通孔９１ａを貫通したうえプラグ端子金具６１ａに嵌合して取り付けられている。なお、分岐ブレーカ３はプラグインアダプタ３１を介することなく分岐ブレーカ３の裏面に直接プラグ端子３１ａを突設したものであってもよい。また、プラグインによらず被覆電線又は分岐バーによりネジ止め等の手段により分岐ブレーカ３と母線バー６の接続を行ってもよい。
【００１６】
また、前記分電盤モジュール１を構成する筐体１０は、背面側を突出させた横断面形状が凸形状で前面を開口させた筐体本体１１と該開口を閉塞自在とする逆箱状の片開き式の扉１２よりなるものとしている。また、扉１２の開口端側に位置する側板部１２１の端面と筐体本体１１との当接箇所に分岐ブレーカ３の負荷側電線の出線部を設けている。この出線部は側板部１２１の先端側から上下に一連の切欠部１２１ａを設けて、側板部１２１の切欠部１２１ａの端面と筐体本体１１との当接箇所に一連にウレタンゴムのような弾性材１２２、１２２を取り付けて該弾性材のもつ弾性変形により負荷側電線を保持するものとしており、負荷側電線の保持や粉塵の侵入を防ぐことができるものである。なお、この構成とすることにより、負荷側電線の数の変動に対応できるものである。
【００１７】
また、筐体１０の底面外部に延出させた母線バー６の延出部６１とこれに取り付けたプラグ端子金具６１ａは図１０、図１２に示すように樹脂製の絶縁ケース１０１に覆い、該絶縁ケース１０１でプラグ端子金具６１ａに対応する箇所に増設用分電盤モジュール５に配置した母線バー６の差込刃式としたプラグ端子金具６１ｂが介入できる切込１０１ａを設けて絶縁を確保してプラグ端子金具６１ｂが簡単に接続・分離できるものとしている。
【００１８】
次に、図１５及び図１６に示す増設用分電盤モジュール５を詳細に説明する。これを構成する筐体５０を図１７、図１８に示すように下面に母線バーケース５２を設けた取付基台５１に逆箱状の扉５３をヒンジ部により開閉自在として設けたものである。なお、扉５３はヒンジ連結することなく取り外し自在としてもよいし、さらに、取付基台５１を箱状とし、扉５３を板状としてもよい。また、前記取付基台５１の下方に設けた母線バーケース５２は、図２０に示す短い母線バー６を幅面を正面に向けて収納する浅箱状の母線バーケース本体５２ａと図１７、図１８に示す母線バーケース本体５２ａの上部開口を閉塞する取付基台５１と一体とした蓋部５２ｂより構成して、該蓋部５２ｂを取付基台５１の下面に位置するものとしている。
【００１９】
そして、筐体５０には図１７〜図１９に示すように分岐ブレーカ３が取付基台５１に取り付けて該ブレーカ３の一次側を前記母線バー６に接続している。すなわち、図示のものは分岐ブレーカ３をプラグインアダプタ３１に搭載して図示を略した一次側の端子部と接続した該プラグインアダプタ３１の下端面から突設したプラグ端子３１ａを前記取付基台５１に透設した挿入孔５１ａを介して貫通させて母線バー６に設けたばね板よりなるプラグ端子金具６ｃに挟持させて、分岐ブレーカ３と母線バー６の接続をプラグ端子３１ａによって行っている。なお、プラグインアダプタ３１を介することなく分岐ブレーカ３の裏面に直接プラグ端子３１ａを突設したものであってもよい。また、プラグインによらず被覆電線又は分岐バーによりネジ止め等の手段により分岐ブレーカ３と母線バー６の接続を行ってもよい。
【００２０】
また、前記母線バーケース５２は母線バー６に張設した差込刃式のプラグ端子金具６１ｂ側の一端面側を、取付基台５１の一端面側からプラグ端子金具６１ａの長さ分を内側に位置させ、他方該一端面側に対向した他端面をその分取付基台５１の他端面側から外側に位置させて、プラグ端子金具６１ｂの上端側が庇状となる取付基台５１の一端面側により覆われるものとしている。
【００２１】
また、母線バーケース５２の一端面側に対向した他端面側の蓋部５２ｂは取付基台５１の他端面側の下方から露出するので、プラグ端子受部６１ａを該蓋部５２ｂの上側から設けた切り込み孔５４に臨むように設ければ、隣り合うこととなる増設用分電盤モジュール５の各母線バー６の接続プラグ端子部６１ａとプラグ端子受部６１ｂの接続が容易であるうえ接続プラグ端子部６１ａが露出することがないので絶縁が確保できるものである。
【００２２】
また、増設用分電盤モジュール５を構成する筐体５０の分岐ブレーカ３の負荷側端子部が臨む取付基台５１の側縁に立上げて側板部５１１を設け、該側板部５１１の端面と当接する取付基台５１に開閉自在又は着脱自在に設けた逆箱状の扉５３の負荷側端子部が臨む側板部５３１の端面との間にブレーカの負荷側電線の引き込み部を形成したので配線作業が容易である。
【００２３】
さらに、この引き込み部は図示のものは取付基台５１の側板部５１１の端面と扉５３の側板部５３１の端面とに一連にウレタンゴムのような弾性材５３２を取り付けて該弾性材のもつ弾性変形により負荷側電線を挟持するものとしており、負荷側電線の固定や粉塵の侵入を防ぐことができるものである。なお、上記構成は分岐ブレーカ３の端子数に応じて負荷電線の数の変動に対応できるものであるが、側板部５１１の端面に凹部を形成してパッキン材を装着したものであってもよい。また、取付基台５１を箱状とし、扉５３を板状とした場合には、取付基台５１の側板部５１１は開口より下がった位置となり、扉５３の側板部５３１の端面は対応して突出した位置となるものである。
【図面の簡単な説明】
【００２４】
【図１】本発明の実施形態を示す斜視図。
【図２】本発明の実施形態を配線カバーを外して示す背面側からの斜視図。
【図３】本発明の実施形態を示す背面側からの斜視図。
【図４】増設分電盤モジュールを増設する工程を示す斜視図。
【図５】増設分電盤モジュールを増設する工程を示す拡大斜視図。
【図６】本発明の実施形態の要部を筐体を略して示す斜視図。
【図７】本発明の実施形態の要部を筐体を略して示す背面側からの斜視図。
【図８】本発明の実施形態を配線カバーを外して示す背面側からの斜視図。
【図９】取付固定レール部材を示す図であり、（Ａ）は正面側斜視図、（Ｂ）は背面側斜視図。
【図１０】分電盤モジュールを示す斜視図。
【図１１】分電盤モジュールの母線バーの延出部を示す斜視図。
【図１２】分電盤モジュールの母線バーの延出部を絶縁ケースで覆った状態で示す斜視図。
【図１３】プラグインアダプタに搭載した分岐ブレーカを上方から見た斜視図。
【図１４】プラグインアダプタに搭載した分岐ブレーカを下方から見た斜視図。
【図１５】増設分電盤モジュールを上方から見た斜視図。
【図１６】増設分電盤モジュールを下方から見た斜視図。
【図１７】増設分電盤モジュールを扉を開いて示す斜視図。
【図１８】増設分電盤モジュールを扉を開いてプラグインアダプタに搭載した分岐ブレーカを外して示す斜視図。
【図１９】増設分電盤モジュールを扉を開いてプラグインアダプタに搭載した分岐ブレーカを外して示す斜視図。
【図２０】増設分電盤モジュールの母線ケース本体を示す斜視図。
【符号の説明】
【００２５】
１  分電盤モジュール
10  筐体
10a  電線挿入用の開口部
11  筐体本体
12  扉
121a  切欠部
２  主幹ブレーカ
21  リードバー
21a  延出部
３  分岐ブレーカ
４  取付固定レール部材
42  電線支持バー
５  増設用分電盤モジュール
６  母線バー
７  電源用電線
【図１】
0004840912.tif 000002
【図２】
0004840912.tif 000003
【図３】
0004840912.tif 000004
【図４】
0004840912.tif 000005
【図５】
0004840912.tif 000006
【図６】
0004840912.tif 000007
【図７】
0004840912.tif 000008
【図８】
0004840912.tif 000009
【図９】
0004840912.tif 000010
【図１０】
0004840912.tif 000011
【図１１】
0004840912.tif 000012
【図１２】
0004840912.tif 000013
【図１３】
0004840912.tif 000014
【図１４】
0004840912.tif 000015
【図１５】
0004840912.tif 000016
【図１６】
0004840912.tif 000017
【図１７】
0004840912.tif 000018
【図１８】
0004840912.tif 000019
【図１９】
0004840912.tif 000020
【図２０】
0004840912.tif 000021